(57)【特許請求の範囲】
【請求項１】
複数の異なるインクを放出するための複数の色平面を含むインクジェットプリントヘッドであって、各色平面が、前記プリントヘッドのノズル面に画定された少なくとも１つのノズル列を含み、それぞれの色平面における各ノズルに、同じインクが供給され、非黒インクを放出する第１の色平面が、黒インクを放出する一対の色平面の間に介挿されるように、前記プリントヘッドが設置されるインクジェットプリントヘッドと；
前記プリントヘッドと流体連通する複数のインクリザーバであって、前記黒インク及び非黒インクを含むインクリザーバと
を含むインクジェットプリンタにおいて、
前記第１のインク中の界面活性剤の量が、前記第２および第３のインク中の界面活性剤の量より少なくとも０．４重量％多いことを特徴とするインクジェットプリンタ。
【請求項２】
請求項１に記載のプリンタにおいて、前記ノズル面にわたる色平面が、交互の順序の非黒インクおよび黒インクを有するように、前記プリントヘッドが設置されることを特徴とするプリンタ。
【請求項３】
請求項１に記載のプリンタにおいて、非黒インクを放出する各色平面が、黒インクを放出する少なくとも１つの隣接する色平面を有するように、前記プリントヘッドが設置されることを特徴とするプリンタ。
【請求項４】
請求項１に記載のプリンタにおいて、隣接する色平面からのノズル列間の距離が、２００μｍ未満であることを特徴とするプリンタ。
【請求項５】
複数の異なるインクを放出するための複数の色平面を含むインクジェットプリントヘッドであって、各色平面が、前記プリントヘッドのノズル面に画定された少なくとも１つのノズル列を含み、それぞれの色平面における各ノズルに、同じインクが供給されるインクジェットプリントヘッドにおいて、
非黒インクを放出する第１の色平面が、黒インクを放出する一対の色平面間に介挿されるように設置され、
非黒インクを放出する各色平面が、黒インクを放出する少なくとも１つの隣接する色平面を有するように設置されることを特徴とするプリントヘッド。
【発明の詳細な説明】
【技術分野】
【０００１】
本発明は、インクジェット印刷および印刷品質を改良するための方法に関する。本発明は、主に、インクジェットプリントヘッドのノズルプレートにおける好ましくない色混合を最小限に抑えるために開発された。
【背景技術】
【０００２】
本出願人は、多くの熱気泡形成型（ｔｈｅｒｍａｌ  ｂｕｂｂｌｅ−ｆｏｒｍｉｎｇ）プリントヘッドおよび熱曲げ作動型（ｔｈｅｒｍａｌ  ｂｅｎｄ−ａｃｔｕａｔｅｄ）プリントヘッドを開発してきた。本出願人の熱気泡形成型プリントヘッドとしては、加熱要素が吊り下げられたもの（内容が参照により本明細書に援用される、例えば、米国特許第６，７５５，５０９号明細書；米国特許第７，２４６，８８６号明細書；米国特許第７，４０１，９１０号明細書；および米国特許第７，６５８，９７７号明細書に記載されるような）および加熱要素が埋め込まれるかまたは結合されたもの（内容が参照により本明細書に援用される、例えば、米国特許第７，３７７，６２３号明細書；米国特許第７，４３１，４３１号明細書；米国特許出願公開第２００６／２５０４５３号明細書；および米国特許第７，４９１，９１１号明細書に記載されるような）が挙げられる。本出願人の熱曲げ作動型プリントヘッドは、典型的に、プリントヘッドのノズルプレートに画定される可動パドルを有する（内容が参照により本明細書に援用される、例えば、米国特許第７，９２６，９１５号明細書；米国特許第７，６６９，９６７号明細書；および米国特許出願公開第２０１１／００５０８０６号明細書に記載されるように）。
【０００３】
本出願人のＭｅｍｊｅｔ（登録商標）プリントヘッドは、市販のプリントヘッドと比較して、比較的高いノズル密度を特徴とする。Ｍｅｍｊｅｔ（登録商標）プリントヘッドは、典型的に、各色平面に一対のオフセットノズル列とともに複数の色平面を含む。Ｍｅｍｊｅｔ（登録商標）プリントヘッドの主な利点は、各プリントヘッド集積回路における複数の色平面の統合による比較的狭い印刷領域である。Ｍｅｍｊｅｔ（登録商標）プリントヘッドの色平面は、互いの間隔がより狭く、これにより、ドットオンドット印刷（ｄｏｔ−ｏｎ−ｄｏｔ  ｐｒｉｎｔｉｎｇ）中の色平面間の位置合わせの問題が防がれる。対照的に、広い間隔の色平面は、適切な位置合わせを実現するのに複雑な媒体供給機構を必要とし、これにより、他の公知のページ幅印刷システム（例えばＨＰ  Ｅｄｇｅｌｉｎｅ）の複雑性が増大している。
【０００４】
典型的に、Ｍｅｍｊｅｔ（登録商標）プリントヘッドにおける隣接する色平面からのノズル列間の距離は、２５〜２００μｍまたは５０〜１００μｍの範囲である。色平面のこの狭い間隔は、このようなプリントヘッドに特有の問題を生じる。異なる色平面からの狭い間隔のノズル列の重大な問題は、プリントヘッドのノズルプレートにおける色混合の１つである。例えば、黒インクが、ノズルプレート上で黄色インク中に混合される場合、これは、プリントヘッドの日常保守に影響を与えるだけでなく、印刷品質に悪影響を与え得る。本出願人は、ノズルプレートにおける好ましくないインク混合として現れる２つの機構、すなわち、ノズルプレート上へのインク湿潤；およびノズルの列間の繊維または微粒子のブリッジング（ｂｒｉｄｇｉｎｇ）を特定した。
【０００５】
これまで、インクジェットプリントヘッドのノズルプレートにおけるインク混合の問題は、疎水性表面処理をノズルプレートに施すことによって、当該技術分野において対処されてきた。例えば、本出願人は、プリントヘッドのＭＥＭＳ製造中に適用される、疎水性シロキサンポリマーのコーティングを有するノズルプレートを記載している（内容が参照により本明細書に援用される、例えば、米国特許第７，９３８，９７４号明細書；米国特許第７，６６９，９６７号明細書を参照）。しかしながら、このようなコーティングは、プリントヘッド製造のコストおよび複雑性を増大させる。さらに、このようなコーティングは、好ましくない色混合より許容できる色混合に有利なように色混合の方向を制御しない。
【０００６】
ノズルプレートコーティング処理に依存しない、インクジェットノズルプレートにおける好ましくない色混合を最小限に抑えるための手段を提供することが望ましいであろう。あるいは、既存のノズルプレートコーティング処理の有効性を補完し、および／またはそれを向上させる、インクジェットノズルプレートにおける好ましくない色混合を最小限に抑えるための手段を提供することが望ましいであろう。
【発明の概要】
【０００７】
第１の態様において、
複数の異なるインクを放出するための複数の色平面を含むインクジェットプリントヘッドであって、各色平面が、前記プリントヘッドのノズル面に画定された少なくとも１つのノズル列を含み、それぞれの色平面における各ノズルに、同じインクが供給され、比較的低い輝度を有する第１のインクを放出する第１の色平面が、比較的高い輝度を有するそれぞれの第２および第３のインクを放出する第２および第３の色平面の間に介挿されるように、前記プリントヘッドが設置される（ｐｌｕｍｂｅｄ）インクジェットプリントヘッドと；
前記プリントヘッドと流体連通する複数のインクリザーバであって、第１、第２および第３のインクを含むインクリザーバと
を含むインクジェットプリンタにおいて、
第１のインク中の界面活性剤の量が、第２および第３のインク中の界面活性剤の量より少なくとも０．４重量％多いインクジェットプリンタが提供される。
【０００８】
典型的に、第１のインクがカラーインクである一方、第２および第３のインクは黒インクである。本明細書において使用される際、「カラーインク」という用語は、インクジェット印刷に使用される任意の非黒インクを指す。カラーインクの典型的な例は、シアン、マゼンタ、黄色、赤、緑および青、ならびにライトシアン、ライトマゼンダおよびスポットカラーである。他のタイプの「カラーインク」としては、赤外線インク、紫外線インク、メタリックインクなどが挙げられる。例えば、赤外線インクは、実質的に色を有しないとしても「カラーインク」として本明細書において定義される。本開示の文脈において、「ライトシアン」および「シアン」などのカラーインクは、ノズル面におけるそれらの混合が深刻な視覚影響を与えないため、「異なるカラーインク」であるとみなされない。同様に、「ライトマゼンダ」および「マゼンタ」は、ノズルプレートにおけるそれらの混合が深刻な視覚影響を与えないため、異なるカラーインクであるとみなされない。
【０００９】
第１の態様に係るプリンタは、インクジェットプリントヘッドにおける独自のインクセットと独自の設置構成（ｐｌｕｍｂｉｎｇ  ａｒｒａｎｇｅｍｅｎｔ）との組合せに基づくものである。この組合せにより、好ましくない色混合の影響を最小限に抑えるための、プリントヘッドのノズルプレートにわたるインクの流れの制御が可能になる。特に、プリンタは、ノズルプレートにおける全ての色混合を防止しようとするわけではない。好ましくない印刷欠陥の発生に関して、ノズルプレートにおけるインク混合の視覚影響は等しくない。例えば、黒インク中へのシアン、マゼンタまたは黄色インクの混合は、それほど望ましくない印刷欠陥を生じない。基本的に、黒インクは、カラーインクが黒インクと混合されたかどうかにかかわらず黒のままである。しかしながら、シアン、マゼンタまたは黄色インク中への黒インクの混合は、黒インクがカラーインクの外観（すなわち、色相および彩度）に深刻な影響を与えるため、非常に望ましくない印刷欠陥を生じる。本発明が最小限に抑えることを目指しているのは、このタイプの望ましくない混合である。
【００１０】
最初に、ノズルプレートにわたるインクの制御が、公知のマランゴニ効果−すなわち、低い表面張力を有する流体が高い表面張力を有する領域に向かって流れる傾向を利用することによって得られることが、本発明者らによって予測された。しかしながら、インク間の表面張力の差が、ノズルプレートにわたるインクの流れを制御するのに十分でないことが分かった。例えば、黒インクがカラーインクよりかなり高い表面張力を有していたときでさえ、黒インクは、ノズルプレートにおいてカラーインクに流れ込むことが依然として観察された。したがって、表面張力勾配単独でノズルプレートにわたるインク流れの制御に有効なわけではないようであった。
【００１１】
しかしながら、意外にも、各インク中の界面活性剤の量の制御が、ノズルプレートにわたるインク流れの制御に非常に有効であることが分かった。特に、ノズルプレートにおけるカラーインク中への黒インクの流れを最小限に抑えるために、カラーインクが、黒インクより少なくとも０．４重量％多い界面活性剤を含有することが必要であることが分かった。この観察に基づいて、プリントヘッドの設置順序（ｐｌｕｍｂｉｎｇ  ｏｒｄｅｒ）およびインクセットの各インク中の界面活性剤濃度が、プリントヘッドのノズル面における好ましくない色混合を最小限に抑えるように最適化され得る。
【００１２】
上記の第１の態様に関連して、プリントヘッドは、比較的低い輝度のインク（例えばカラーインク）の１つを放出する各色平面が、比較的高い輝度のインク（例えば黒インク）を放出する少なくとも１つの隣接する色平面を有するように任意に設置される。
【００１３】
任意に、プリントヘッドの色平面は、黒インクおよびカラーインクの交互の順序で配置される。
【００１４】
任意に、プリントヘッドは、黒インク、第１のカラーインク、第２のカラーインクおよび第３のカラーインクを放出するための５つの色平面を含み、ここで、色平面は、以下の順序：第１のカラーインク−黒インク−第２のカラーインク−黒インク−第３のカラーインク、例えば、ＣＫＭＫＹ；ＭＫＣＫＹ；ＭＫＹＫＣ；ＲＫＧＫＢ；ＧＫＲＫＢ；ＲＫＢＫＧなどで設置される。
【００１５】
任意に、各カラーインクは、シアン、マゼンタおよび黄色からなる群から選択される。その代わりにまたはそれに加えて、各カラーインクは、赤、緑および青からなる群から選択され得る。その代わりにまたはそれに加えて、各カラーインクは、人間の目に無色または実質的に無色であり得る、紫外線インクおよび赤外線インクからなる群から選択され得る。
【００１６】
任意に、インクは、染料ベース水性インクである。
【００１７】
任意に、インクは、顔料ベース水性インクである。
【００１８】
任意に、比較的高い輝度のインク（例えば黒インク）は、各比較的低い輝度のインク（例えばカラーインク）より高い表面張力を有する。典型的に、黒インクは、２５℃で、３８〜４３ｍＮ／ｍの範囲の表面張力を有し、各カラーインクは、２５℃で、３０〜４１ｍＮ／ｍの範囲の表面張力を有する。
【００１９】
任意に、各カラーインク中の界面活性剤の量は、黒インク中の界面活性剤の量より少なくとも０．６重量％多い。任意に、各カラーインクは、黒インクより０．４〜１．２重量％多い界面活性剤を含有する。典型的に、黒インクは、０．１〜０．４重量％の界面活性剤を含有する一方、各カラーインクは、０．６〜１．５％の界面活性剤を含有する。
【００２０】
プリントヘッドの各色平面は、１つまたは複数のノズル列を含み得る。例えば、色平面は、１つ、２つ、３つまたは４つのノズル列を含んでいてもよく、それらのノズル列は全て、同じインクを受け入れ、それを放出する。任意に、各色平面は、通常、互いにオフセットされたノズルを含むそれぞれのノズル列の対を含む。同じ色平面のノズル列間の距離は、通常、隣接する色平面からのノズル列間の距離より小さい。
【００２１】
色平面は、プリントヘッドにわたって横方向に間隔を空けて配置されている。隣接する色平面からのノズル列間の距離は、典型的に、２００μｍ未満または１００μｍ未満である。任意に、隣接する色平面からのノズル列間の距離は、３０〜１８０μｍの範囲、任意に、４０〜１５０μｍの範囲、または任意に、５０〜１００μｍの範囲である。隣接する色平面間の狭い間隔は、ノズル面における色混合の点で特に問題になる。
【００２２】
任意に、ノズル面は、セラミック材料を含むノズルプレートによって画定される。任意に、ノズルプレートは、酸化ケイ素、窒化ケイ素およびオキシ窒化ケイ素からなる群から選択される材料を含む。セラミックノズルプレートは、非常に頑丈であり、プリントヘッドのＭＥＭＳ製造に適している。しかしながら、このタイプのセラミックは、比較的湿潤しており、特に、狭い間隔の色平面では色混合の問題を悪化させる可能性がある。好ましくない色混合が、比較的湿潤しているノズルプレートでさえも最小限に抑えられることが、本発明の特定の利点である。しかしながら、本発明は、内容が参照により本明細書に援用される米国特許第７，９３８，９７４号明細書に記載される疎水性ポリマーコーティングで被覆される他のノズル面、例えば、ノズルプレートとともに使用するのに同様に好適である。
【００２３】
任意に、プリントヘッドは、後述されるものなどの固定ページ幅プリントヘッドである。プリントヘッドは、ページ幅にわたって端部間を接合された複数のプリントヘッド集積回路を含み得る。しかしながら、本発明は、他のタイプのプリントヘッド、特に、狭い間隔の色平面（すなわち５００μｍ未満または２００μｍ未満）を有する多色プリントヘッドとともに使用するのに同様に好適である。
【００２４】
第２の態様において、第１の態様に関連して記載されるプリンタにおいて使用するのに好適なプリントヘッドが提供される。したがって、第２の態様は、複数の異なるインクを放出するための複数の色平面を含むインクジェットプリントヘッドであって、各色平面が、前記プリントヘッドのノズル面に画定された少なくとも１つのノズル列を含み、それぞれの色平面における各ノズルに、同じインクが供給されるインクジェットプリントヘッドにおいて、非黒インクを放出する第１の色平面が、黒インクを放出する一対の色平面間に介挿されるように設置されるプリントヘッドを提供する。
【００２５】
第１の態様に関連して上述される任意選択の特徴は、当然ながら、第２の態様に係るプリントヘッドに同様に適用可能である。
【００２６】
第３の態様において、第１の態様に関連して上述されるプリンタに使用するのに好適なインクセットが提供される。したがって、第３の態様は、インクジェットプリントヘッドのノズルプレートにおける好ましくない色混合を最小限に抑えるためのインクセットであって、前記インクセットが、黒インクおよび黄色インクを含む複数の水性インクを含み、前記黒インクおよび黄色インクのそれぞれが、界面活性剤を含むインクセットにおいて、黄色インク中の界面活性剤の量が、黒インク中の界面活性剤の量より少なくとも０．４重量％多いインクセットを提供する。
【００２７】
以下により詳細に記載されるように、インクセットの各インクは、水性インク媒体に含まれる染料または顔料として配合される。好適な染料および顔料の具体例が、後述される。好ましくは、インクセットの各インクは、染料ベースインクである。本発明に使用するのに好適な典型的なインク媒体は、８〜１５重量％のエチレングリコール；６〜１２重量％の２−ピロリジノン；１〜５重量％のグリセロール；１〜５重量％の１−プロパノール；および２〜２０重量％の、ジエチレングリコール、トリエチレングリコール、テトラエチレングリコールおよびペンタエチレングリコールからなる群から選択される少なくとも１つのオキシアルキレン化合物のうちの１つまたは複数を含み得る。
【００２８】
任意に、インクセットの各インクは、典型的に非イオン性界面活性剤である１つのみの界面活性剤を含む。任意に、非イオン性界面活性剤は、エトキシ化２，４，７，９−テトラメチル−５−デシン−４，７−ジオール（Ｓｕｒｆｙｎｏｌ（登録商標）４６５）である。
【００２９】
任意に、インクセットの各黒インクは、０．１〜０．３重量％の界面活性剤を含む。
【００３０】
任意に、インクセットの黄色インクは、０．６〜１．４重量％の界面活性剤を含む。
【００３１】
任意に、インクセットの各インクは、２〜８重量％の染料を含む。
【００３２】
第４の態様において、複数の異なるインクを放出するための複数の色平面を含むインクジェットプリントヘッドであって、各色平面が、前記プリントヘッドのノズル面に画定された少なくとも１つのノズル列を含み、それぞれの色平面における各ノズルに、同じインクが供給され、比較的低い輝度を有する第１のインクを放出する第１の色平面が、比較的高い輝度を有するそれぞれの第２および第３のインクを放出する第２および第３の色平面の間に介挿されるように、前記プリントヘッドが設置されるインクジェットプリントヘッドと；
プリンタに設置するための複数のインクリザーバであって、第１、第２および第３のインクを含むインクリザーバと
を含むキット（例えばインクジェット印刷システム）において、
第１のインク中の界面活性剤の量が、第２および第３のインク中の界面活性剤の量より少なくとも０．４重量％多いキットが提供される。
【００３３】
第５の態様において、インクジェットプリントヘッドのノズル面における好ましくない色混合を最小限に抑えるためのインクセットの新規な使用がさらに提供される。第５の態様に用いられるインクセットは、複数の染料ベースまたは顔料ベース水性カラーインクおよび染料ベースまたは顔料ベース水性黒インクを含み、インクのそれぞれが、界面活性剤を含み、各カラーインク中の界面活性剤の量が、黒インク中の界面活性剤の量より少なくとも０．４重量％多い。第５の態様において規定されるプリントヘッドは、典型的に、第２の態様に関連して上述されるとおりである。
【００３４】
上述されるように、本発明は、黒インクおよびカラーインクを含むインクセットに関連して使用され得る。より一般に、本発明は、高い輝度のインクと低い輝度のインクの混合の視覚影響が深刻でない場合、任意のインクセットに適用可能である。
【００３５】
白色紙におけるＣＭＹインクの輝度は以下のとおりである：Ｃ（３０％）、Ｍ（５９％）およびＹ（１１％）。黒（Ｋ）は、名目上、白色紙において１００％の輝度を有する。不可視赤外線または紫外線インクなどの「不可視」インクは、名目上、白色紙において０％の輝度を有する。
【００３６】
黄色は、比較的低い輝度を有するため、黄色インク中へのシアンまたはマゼンタインクのいずれかの混合を避けることは非常に望ましい。この混合は、非常に有害な視覚影響を与え得るためである。反対に、マゼンタまたはシアンインク中への黄色インクの混合は、いくらかの視覚影響が当然まだあるものの、より少ない視覚影響を与える。
【００３７】
黒およびマゼンタの比較的高い輝度、ならびに黄色およびＩＲインクの比較的低い輝度を利用する場合、いくつかの最適なプリントヘッド構成およびインクセットが、当業者に容易に分かるであろう。
【００３８】
例えば、４つの色平面を有するプリントヘッドが、以下のとおりに最適に構成され得る：シアンおよび黄色インクが、黒およびマゼンタインクより少なくとも０．４重量％多い界面活性剤を有する相補的な（ｃｏｍｐｌｅｍｅｎｔａｒｙ）インクセットを含むＣＫＹＭ。したがって、シアンは、最小の視覚影響で黒に混入し得、黄色は、最小の視覚影響で黒またはマゼンタに混入し得る。しかしながら、シアンまたは黄色中への黒の混合は最小限に抑えられ、黄色中へのマゼンタの混合は最小限に抑えられる。
【００３９】
Ｎｅｔｐａｇｅプリンタ（例えば、内容が参照により本明細書に援用される米国特許第６，９８７，５７３号明細書を参照）は、以下のとおりに最適に構成される５つの色平面を備えたプリントヘッドを含み得る：ＣＫＹＭ（ＩＲ）またはＹＭ（ＩＲ）ＫＣ。各構成において、より高い輝度のインク（ＭおよびＫ）が、より低い輝度インク（Ｙ、ＩＲおよびＣ）間に介挿される。相補的なインクセットは、シアン、ＩＲおよび黄色インクが、マゼンタおよび黒インクより少なくとも０．４重量％多い界面活性剤を有するように配合される。
【００４０】
３つの色平面を有するプリンタ（例えばフォトプリンタ）は、黄色インクが、シアンおよびマゼンタインクより少なくとも０．４重量％多い界面活性剤を有する相補的なインクセットを含むＣＹＭとして最適に構成され得る。
【００４１】
５つの色平面を有するフォトプリンタは、黄色インクが、隣接するシアンおよびマゼンタインク（Ｃ２およびＭ２）より少なくとも０．４重量％多い界面活性剤を有する相補的なインクセットを含むＣ１Ｃ２ＹＭ２Ｍ１として最適に構成され得る。このフォトプリンタの場合、Ｃ１およびＣ２（ならびにＭ１およびＭ２）は、冗長（ｒｅｄｕｎｄａｎｔ）色平面であり得る。言い換えると、Ｃ１およびＣ２は、同一のシアンインクを放出し、Ｍ１およびＭ２は、同一のマゼンタインクを放出する。これらの色平面の冗長性（ｒｅｄｕｎｄａｎｃｙ）は、特に、「ドット・アット・タイム（ｄｏｔ−ａｔ−ｔｉｍｅ）」冗長性（内容が参照により本明細書に援用される米国特許第７，４６５，０１７号明細書に記載されるような）と組み合わされて、隣接するシアンおよびマゼンタ色平面中への黄色インクの混合の視覚影響を最小限に抑えるのに役立ち、冗長色流路の対は、印刷されたドットの各ラインに同様に寄与する。あるいは、シアン色平面（Ｃ１またはＣ２）の一方は、ライトシアンであり得、マゼンタ色平面（Ｍ１またはＭ２）の一方は、ライトマゼンダであり得る。Ｃ１およびＣ２（ならびにＭ１およびＭ２）が、シアンおよびライトシアンなどの同一でないインクを放出する場合でさえ、シアンおよびマゼンタ色平面中への黄色の混合の視覚影響はまだ最小である。
【００４２】
第６の態様において、異なるカラーインクを放出するための複数の色平面を含むインクジェットプリントヘッドであって、各色平面が、プリントヘッドのノズル面に画定される少なくとも１つのノズル列を含むインクジェットプリントヘッドにおいて、黄色インクを放出する色平面が、マゼンタインクを放出する色平面と、シアンインクを放出する色平面との間に介挿されるように設置されるプリントヘッドが提供される。
【００４３】
任意に、プリントヘッドは、マゼンタおよびシアンインクを放出する冗長色平面を有する。
【００４４】
任意に、プリントヘッドは、シアン、マゼンタおよび黄色インクのための５つの色平面を含み、色平面は、第１のマゼンタ−第２のマゼンタ−黄色−第１のシアン−第２のシアンの順序で設置される。
【００４５】
第８の態様に係るプリントヘッドの他の任意選択の特徴は、第１の態様に関連して上述されるとおりである。
【００４６】
第７の態様において、
第６の態様に係るインクジェットプリントヘッドと；
プリントヘッドの少なくとも１つの色平面とそれぞれが流体連通しているシアン、マゼンタおよび黄色インクリザーバと
を含むインクジェットプリンタにおいて、
黄色インク中の界面活性剤の量が、マゼンタおよびシアンインク中の界面活性剤の量より少なくとも０．４重量％多いインクジェットプリンタが提供される。
【００４７】
第８の態様において、インクジェットプリントヘッドのノズルプレートにおける好ましくない色混合を最小限に抑えるためのインクセットであって、インクセットが、シアンインク、マゼンタインクおよび黄色インクを含み、インクのそれぞれが、界面活性剤を含むインクセットにおいて、黄色インク中の界面活性剤の量が、マゼンタおよびシアンインク中の界面活性剤の量より少なくとも０．４重量％（または少なくとも０．６重量％）多いインクセットが提供される。
【００４８】
第８の態様に係るインクセットに含まれるインク用のインク媒体の任意選択の特徴は、典型的に、第３の態様に係るインクセットに関連して上述されるとおりである。
【００４９】
これより、本発明の様々な実施形態が、添付の図面を参照して、あくまでも例として記載される。
【図面の簡単な説明】
【００５０】
【図１】図１は、当接するプリントヘッド集積回路から構成されるプリントヘッドの平面図である。
【図２】図２は、単一のプリントヘッド集積回路の平面図である。
【図３】図３は、図２に示されるプリントヘッド集積回路における色平面およびノズル列の配置を概略的に示す。
【図４】図４は、図２に示されるプリントヘッド集積回路の拡大された正面斜視図である。
【図５】図５は、図２に示されるプリントヘッド集積回路の拡大された背面斜視図である。
【図６】図６は、図２に示されるプリントヘッド集積回路の１つの色平面を通した切り欠き透視図である。
【図７】図７は、プリントヘッドアセンブリの分解斜視図である。
【図８】図８は、図７に示されるプリントヘッドアセンブリにおけるプリントヘッド集積回路への流体接続（ｆｌｕｉｄｉｃ  ｃｏｎｎｅｃｔｉｏｎ）の平面図である。
【図９】図９は、図８に示される流体接続の拡大図である。
【図１０】図１０は、プリントヘッドカートリッジの斜視図である。
【図１１】図１１は、保護用ケーシングが取り外された状態の、図１０に示されるプリントヘッドカートリッジの斜視図である。
【図１２】図１２は、図１０に示されるプリントヘッドカートリッジの分解斜視図である。
【図１３】図１３は、プリントヘッドカートリッジが取り付けられた状態の、印刷エンジンの正面斜視図である。
【図１４】図１４は、プリントヘッドカートリッジが取り外された状態の、図１３に示される印刷エンジンの正面斜視図である。
【図１５】図１５は、インク送達構成要素を含む、図１３に示される印刷エンジンの背面斜視図である。
【図１６】図１６は、インクジェットプリンタ用のインク送達システムの模式的概略図である。
【発明を実施するための形態】
【００５１】
本発明は、単一のプリントヘッド上に狭い間隔の色平面を含む、本出願人のＭｅｍｊｅｔ（登録商標）プリントヘッドとともに使用するのに特に好適である。上に示唆されるように、このようなプリントヘッドは、他の先行技術のプリントヘッドより、ノズル面における好ましくない色混合を起こしやすい。しかしながら、本発明が、ノズル面における異なる色平面間の好ましくない色混合を避けることが望ましい任意のプリントヘッドに使用するのに好適であることが理解されるであろう。
【００５２】
ページ幅プリントヘッドおよびプリンタ
図１を参照すると、Ｍｅｍｊｅｔ（登録商標）プリントヘッド１０は、端部間を接合された複数のプリントヘッド集積回路（ＩＣ）１００から構成されるページ幅プリントヘッドである。各プリントヘッド集積回路１００は、典型的に、約２０ｍｍの長さを有する。特定のプリントヘッドにおける接合するプリントヘッドＩＣ１００の数は、当然ながら、プリンタのタイプに応じて決まる。例えば、（写真またはラベル印刷に好適な）４インチのプリントヘッドは、典型的に、図１に示されるように、５つの当接するＩＣ１００を含む。（家庭および事務所での使用に好適な）Ａ４プリントヘッドは、典型的に、１１個の当接するプリントヘッドＩＣ１００を含む。さらに多いプリントヘッドＩＣが、大判プリントヘッドに用いられるのは明らかである。本発明は、プリントヘッドのいずれかの特定の幅に限定されない。
【００５３】
Ｍｅｍｊｅｔプリントヘッド１０は、典型的に、紙の進行方向にプリントヘッドにわたって横方向に間隔を空けた５つの色平面１、２、３、４および５から構成される。各色平面は、プリントヘッドの長さに沿って長手方向に延在する一対のオフセットノズル列を含む。例えば、色平面１は、図２および３により明確に示されるように、ノズル列１ａおよび１ｂを含む。同様に、色平面２は、ノズル列２ａおよび２ｂを含み；色平面３は、ノズル列３ａおよび３ｂを含むなどである。各色平面は、同じ色平面における全てのノズル１０２が、共通のインクリザーバから同じインクを供給され、それを放出することを特徴とする。
【００５４】
プリントヘッド１０の５つの色平面１、２、３、４および５のそれぞれは、異なる色のインクを放出し得る。しかしながら、Ｍｅｍｊｅｔ（登録商標）プリントヘッド１０は、通常、色平面に少なくともいくらかの冗長性を加える。例えば、黒インクを放出する２つの色平面があり得る一方、他の３つの色平面はそれぞれ、シアン、マゼンタおよび黄色インクを放出する。冗長性は、光学密度を高め、欠陥のあるノズルの視覚影響を最小限に抑えることによって、全体的な印刷品質を向上させるのに役立つ（米国特許第７，４６５，０１７号明細書を参照）。当然ながら、冗長色流路は、通常、プリンタの同じバルクインクリザーバからのインクを受け入れる−このインクは、単に、プリントヘッドの冗長色平面に向けられる。
【００５５】
図３を参照すると、隣接する色平面からのノズル列（例えばノズル列１ｂおよび２ａ）の間の距離ｄは、Ｍｅｍｊｅｔ（登録商標）プリントヘッド１０において約７３μｍである。したがって、隣接する色平面間のプリントヘッド１０のノズル面１０１にわたる異なるカラーインクの混合の可能性がある。ノズル面１０１にわたる好ましくない色混合は、ノズル面が、窒化ケイ素または酸化ケイ素などの比較的湿潤なノズルプレート材料によって画定される場合に悪化される。
【００５６】
同じノズル列における隣接するノズル間のノズルピッチが、３１．７５μｍである。同じ色平面のノズル列の対は、プリントヘッドの縦軸に沿って１５．８７５μｍの距離だけオフセットされており、一方のノズル列が「偶数」ドットのラインを印刷し、他方のノズル列が、「奇数ドット」のラインを印刷するようになっている。このように、Ｍｅｍｊｅｔプリントヘッドにより、印刷の各ラインにおける約１５．８７５μｍの印刷されたドット間隔、または約１６００ｄｐｉが得られる。
【００５７】
図１、２および４を参照すると、当接するプリントヘッドＩＣ１００が接合される領域において、ノズル列の変位された（ｄｉｓｐｌａｃｅｄ）（または下げられた（ｄｒｏｐｐｅｄ））三角形１０７があることが分かるであろう。これらの下げられた三角形１０７により、プリントヘッドＩＣ１００が接合される一方、各列に沿った一定のノズルピッチが効果的に維持される。また、この配置により、接合するＩＣ間の十分な連結を確保するために、より多くのケイ素が、各プリントヘッドＩＣ１００の縁部に確実に提供される。
【００５８】
必要に応じて、タイミング装置（図示せず）を用いて、下げられた三角形１０７におけるノズル１０２の発射（ｆｉｒｉｎｇ）を遅延させる。ノズル１０２の動作の制御が、プリントヘッドコントローラ（「ＳｏＰＥＣ」）装置によって行われる一方、下げられた列のノズルのための補償が、プリントヘッドのＣＭＯＳ回路によって行われてもよく、またはプリントヘッドとＳｏＰＥＣ装置との間で共通であってもよい。下げられたノズルの配置およびその制御の十分な説明が、内容が参照により本明細書に援用される米国特許第７，３９０，０７１号明細書に含まれる。
【００５９】
ここで、図５を参照すると、プリントヘッド集積回路１００の反対側の裏側面が示されている。インク供給流路１１０は、プリントヘッドＩＣ１００の裏側に画定され、プリントヘッドＩＣの長さに沿って長手方向に延在する。これらの長手方向のインク供給流路１１０は、前側のノズル１０２と流体連通しているノズル入口１１２に突き当たる。５つのインク供給流路１１０のそれぞれは、プリントヘッドの色平面の１つに対応し、１つのインク供給流路は、１つの色平面に含まれる一対のノズル列にインクを供給するようになっている。
【００６０】
図６は、ノズル１０２、ノズル入口１１２および裏側インク供給流路１１０の間で流体連通を示すプリントヘッドＩＣの部分の切り欠き斜視図である。図６に示されるように、ノズル１０２は、吊り下げられた気泡形成型加熱要素を介してインクを放出する（内容が参照により本明細書に援用される、例えば、米国特許第６，７５５，５０９号明細書；米国特許第７，２４６，８８６号明細書；米国特許第７，４０１，９１０号明細書；および米国特許第７，６５８，９７７号明細書に記載されるように）。しかしながら、他のタイプのノズル作動が、本明細書に記載されるプリントヘッドに使用するのに同様に好適である。例えば、ノズル作動は、埋め込まれた加熱要素を介して行われ得る（内容が参照により本明細書に援用される、例えば、米国特許第７，３７７，６２３号明細書；米国特許第７，４３１，４３１号明細書；米国特許出願公開第２００６／２５０４５３号明細書；および米国特許第７，４９１，９１１号明細書に記載されるように）。あるいは、本出願人の熱曲げ作動型プリントヘッドは、典型的に、プリントヘッドのノズルプレートに画定される可動パドルを有する（内容が参照により本明細書に援用される、例えば、米国特許第７，９２６，９１５号明細書；米国特許第７，６６９，９６７号明細書；および米国特許出願公開第２０１１／００５０８０６号明細書に記載されるように）。
【００６１】
図５に戻ると、長手方向に延在する裏側インク供給流路１１０は、ケイ素ブリッジまたは壁１１６によって複数の部分に分けられる。これらの壁１１６は、プリントヘッドＩＣ１００に、長手方向流路１１０に対して横方向にさらなる機械的強度を与える。
【００６２】
インクが、２つの部分に分かれたＬＣＰ成形品の形態のインク供給マニホルドを介して各プリントヘッドＩＣ１００の裏側に供給される。図７〜１０を参照すると、接着フィルム１２０を介してインク供給マニホルドに取り付けられた、１１個のプリントヘッドＩＣ１００を含むＡ４プリントヘッドアセンブリの分解図が示されている。
【００６３】
インク供給マニホルドは、主要なＬＣＰ成形品１２２およびその下側にシールされたＬＣＰ流路成形品１２４を含む。プリントヘッドＩＣ１００は、接着性ＩＣ結合フィルム１２０を用いて流路成形品１２４の下側に結合される。ＬＣＰ流路成形品１２４の上側には、５つのＬＣＰ主要流路１２６が含まれ、ＬＣＰ主要流路１２６は、主要なＬＣＰ成形品１２２のそれぞれのインク入口１２７およびインク出口１２８と接続する。インク入口１２７およびインク出口１２８は、インクタンクおよび所定の静水圧でプリントヘッドにインクを供給するインク供給システムと流体連通している。
【００６４】
主要なＬＣＰ成形品１２２は、複数の気孔１２９を有し、気孔１２９は、ＬＣＰ流路成形品１２４に画定されたＬＣＰ主要流路１２６と連通している。気孔１２９は、インク供給システムにおけるインク圧力パルスを抑制する働きをする。
【００６５】
図８を参照すると、各ＬＣＰ主要流路１２６の基部には、プリントヘッドＩＣ１００につながっている一連のインク供給経路１３２がある。接着フィルム１２０は、各プリントヘッドＩＣ１００の裏側がインク供給経路１３２と流体連通するように一連のレーザードリルで開けられた供給孔１３４を有する。
【００６６】
インク供給経路１３２は、一連の５つの列で配置される。真ん中の列のインク供給経路１３２は、レーザードリル孔１３４を通してプリントヘッドＩＣ１００の裏側に直接インクを供給する一方、外側の列のインク供給経路１３２は、微細成形流路１３５を介してプリントヘッドＩＣにインクを供給し、各微細成形流路は、レーザードリル孔１３４の１つにおいて終端している。
【００６７】
図９は、インクがプリントヘッドＩＣ１００の裏側のインク供給流路１１０に供給される様子をより詳細に示す。接着フィルム１２０に画定される各レーザードリル孔１３４は、対応するインク供給流路１１０と位置合わせされる。一般に、インクが壁１１６の両側の流路部分に供給されるように、レーザードリル孔１３４は、流路１１０の横方向の壁１１６の１つと位置合わせされる。この配置により、インク供給マニホルドとプリントヘッドＩＣ１００との間で必要とされる流体接続の数が減少される。
【００６８】
ＩＣ１００を適切に位置決めするのを助けるために、基準１０３Ａが、ＩＣ１００の表面に設けられる（図４を参照）。基準１０３Ａは、隣接するＩＣに対するＩＣ１００の真位置を示すための適切な位置決め機器によって容易に認識可能なマーカーの形態である。接着フィルム１２０は、相補的な基準１０３Ｂを有し、これが、インク供給マニホルドへのプリントヘッドＩＣの結合の際の接着フィルムに対する各プリントヘッドＩＣ１００の位置合わせを助ける。基準１０３Ａおよび１０３Ｂは、ＩＣ１００の縁部において、および接着性ＩＣ結合フィルム１２０の長さに沿って戦略的に位置決めされる。
【００６９】
ここで、図４に戻ると、プリントヘッドＩＣ１００は、その長手方向の縁部の１つに沿って延在する複数の結合パッド１０５を有する。結合パッド１０５は、インクジェットノズル１０２の動作を制御するためにプリントヘッドコントローラ（「ＳｏＰＥＣ」）装置からデータおよび／または電力を受け取るための手段を提供する。結合パッド１０５は、プリントヘッドＩＣ１００の上側ＣＭＯＳ層に接続される。図６に示されるように、各ＭＥＭＳノズルアセンブリが、ＣＭＯＳ層１１３上に形成され、ＣＭＯＳ層１１３は、各ノズルの発射のために必要な論理回路および駆動回路を含む。
【００７０】
再び図７を参照すると、フレキシブルＰＣＢ１４０は、主要なＬＣＰ成形品１２２の周りで曲がり、プリントヘッドＩＣ１００の結合パッド１０５にワイヤボンディングされた末端を有する。フレキシブル１４０ＰＣＢと結合パッド１０５との間のワイヤボンディング配置が、内容が参照により本明細書に援用される米国特許第７，８２４，０１３号明細書により詳細に記載される。
【００７１】
用紙ガイド１４８が、フレキシブルＰＣＢ１４０に対して、ＬＣＰ成形品１２２の反対側に取り付けられ、プリントヘッドアセンブリ１３０を完成させる。
【００７２】
プリントヘッドアセンブリ１３０は、ユーザが交換可能なプリントヘッドカートリッジ２０の一部として設計され、プリントヘッドカートリッジ２０は、インクジェットプリンタの印刷エンジンから取り外して、交換することができる。したがって、フレキシブルＰＣＢ１４０は、プリンタ本体における、ＳｏＰＥＣ装置を含む電子機器への電力およびデータ接続を可能にする複数の接点１４６を有する。
【００７３】
図１０は、完全なプリントヘッドカートリッジ２０の斜視図である。プリントヘッドカートリッジ２０は、上部成形品４４および取り外し可能な保護カバー４２を有する。上部成形品４４は、構造的剛性のためならびに挿入および取り外しの際にカートリッジを操作するためのテクスチャ加工されたグリップ面５８を提供するための中心ウェブを有する。保護カバー４２の基部は、プリンタにおける取り付けの前に、プリントヘッドＩＣ１００および一連の接点１４６を保護する。キャップ５６は、基部と一体形成され、インク入口および出口をカバーする（図１２の５４および５２を参照）。
【００７４】
図１１は、その保護カバー４２が取り外されて、底面においてプリントヘッドＩＣ１００（図１１に図示せず）がおよび側面において一連の接点１４６が露出された状態のプリントヘッドカートリッジ２０を示す。
【００７５】
図１２は、プリントヘッドアセンブリ２０の部分的に分解された斜視図である。上蓋４４が取り外されて、入口マニホルド４８および出口マニホルド５０が露出されている。入口および出口シュラウド４６および４７が取り外されて、５つの入口および出口スパウト（５２および５４）が露出されている。入口および出口マニホルド４８および５０は、個々の入口および出口のそれぞれならびにＬＣＰ流路成形品１２４の対応する主要流路（図７の１２６を参照）の間の流体接続を形成する。
【００７６】
図１３は、プリントヘッドカートリッジ２０を使用するタイプの印刷エンジン３０を示す。印刷エンジン３０は、インクジェットプリンタの内部構造であり、したがって、何らかの外部ケーシング、インクタンクまたは媒体供給および収集トレイを含まない。プリントヘッドカートリッジ２０は、ユーザがラッチ２６を持ち上げることによって挿入され、ラッチ２６を押し下げることによって取り外される。印刷エンジン３０は、プリントヘッドカートリッジ２０において接点１４６との電気接続を形成する。印刷エンジンは、プリントヘッドカートリッジ２０の入口マニホルド４８および出口マニホルド５０に接続される入口ソケット３２および出口ソケット３３を介して流体継手を形成する。
【００７７】
図１４は、プリントヘッドカートリッジが取り外されて、ソケット３２および３３のそれぞれの開口部３４が露出された状態の印刷エンジン３０を示す。各開口部３４は、入口および出口マニホルドにおいてスパウト５２（図１２を参照）のうちの１つを受け入れる。インクタンクは、任意の位置および構成を有するが、入口連結部においてソケット３２の後ろで中空の差し込み部１２４（図示せず）に単に接続する。出口連結部３３におけるソケットの後ろの差し込み部は、下流のインクラインにつながる。
【００７８】
（入口ソケット３２を介した）入口マニホルド４８の入口スパウト５２へのインクタンクの接続により、プリントヘッドにおける色平面の設置構成が決定される。例えば、１つの黒インクタンクが、プリントヘッドにおける２つの黒色平面を提供するように、入口マニホルド４８の２つの入口スパウト５２にインクを供給し得る。あるいは、プリントヘッドの各黒色平面は、それぞれの黒インクタンクを有し得る。
【００７９】
図１５は、ユーザが交換可能なインクタンク３８およびプリントヘッドに供給されるインクの静水圧の調節のための対応する圧力調節チャンバ３９の取付傾斜面（ｉｎｓｔａｌｌｅｄ  ｂａｎｋ）を備えた印刷エンジン３０を示す。様々な構成要素間の流体接続は、図１５に示されていないが、これらの接続が、内容が参照により本明細書に援用される、例えば、米国特許出願第１２／０６２，５１４号明細書に記載される流体工学システムにしたがった好適なホースを用いてなされることが理解されるであろう。
【００８０】
図１６は、図１５に示されるプリンタエンジンの流体工学システム２００を概略的に示す。圧力調節チャンバ３９は、上流のインクライン２３４を介して、プリントヘッドカートリッジ２０のインク入口４８にインク２０４を供給する。圧力調節チャンバ３９は、プリントヘッドカートリッジ２０の下に位置決めされ、フロート弁２１６によって中のインクの所定の設定レベル２１０を維持する。
【００８１】
インク２０４が、設定レベル２１０の上の任意の高さｈに位置決めされたインクタンク３８によって圧力調節チャンバ３９に供給される。インクタンク３８は、典型的に、ユーザが交換可能なインクカートリッジであり、このインクカートリッジは、プリンタに取り付けられるとき、インク供給ライン２３０と接続する。インク供給ライン２３０は、インクリザーバ３８と圧力調節チャンバ３９の入口ポートとの間の流体連通を提供する。
【００８２】
プリントヘッドカートリッジ２０のインク出口５０は、下流のインクライン２３８に接続され、下流のインクライン２３８は、チャンバ３９の戻りポートに戻ってくる。下流のインクラインは、プライミング（ｐｒｉｍｉｎｇ）およびデプライミング（ｄｅ−ｐｒｉｍｉｎｇ）動作を制御するためのインラインフィルタ２８２およびインクポンプ２４０を含む。
【００８３】
インクジェットインク
本発明に用いられるインクは、典型的に、染料ベースまたは顔料ベース水性インクジェットインクである。
【００８４】
インクジェット染料は、当業者に周知であり、本発明は、いずれかの特定のタイプの染料に限定されない。例として、本発明に使用するのに好適な染料としては、アゾ染料（例えばＦｏｏｄ  Ｂｌａｃｋ  ２）、金属錯体染料、ナフトール染料、アントラキノン染料、インジゴ染料、カルボニウム染料、キノン−イミン染料、キサンテン染料、シアニン染料、キノリン染料、ニトロ染料、ニトロソ染料、ベンゾキノン染料、ナフトキノン染料、フタロシアニン染料（ナフタロシアニン染料を含む）、および金属フタロシアニン染料（内容が参照により本明細書に援用される米国特許第７，１４８，３４５号明細書に記載されるものなどの金属ナフタロシアニン染料を含む）が挙げられる。
【００８５】
好適な染料の例としては、ＣＩ  Ｄｉｒｅｃｔ  Ｂｌａｃｋ  ４、９、１１、１７、１９、２２、３２、８０、１５１、１５４、１６８、１７１、１９４および１９５；ＣＩ  Ｄｉｒｅｃｔ  Ｂｌｕｅ  １、２、６、８、２２、３４、７０、７１、７６、７８、８６、１４２、１９９、２００、２０１、２０２、２０３、２０７、２１８、２３６および２８７；ＣＩ  Ｄｉｒｅｃｔ  Ｒｅｄ  １、２、４、８、９、１１、１３、１５、２０、２８、３１、３３、３７、３９、５１、５９、６２、６３、７３、７５、８０、８１、８３、８７、９０、９４、９５、９９、１０１、１１０、１８９、２２５および２２７；ＣＩ  Ｄｉｒｅｃｔ  Ｙｅｌｌｏｗ  １、２、４、８、１１、１２、２６、２７、２８、３３、３４、４１、４４、４８、８６、８７、８８、１３２、１３５、１４２および１４４；ＣＩ  Ｆｏｏｄ  Ｂｌａｃｋ  １および２；ＣＩ  Ａｃｉｄ  Ｂｌａｃｋ  １、２、７、１６、２４、２６、２８、３１、４８、５２、６３、１０７、１１２、１１８、１１９、１２１、１７２、１９４および２０８；ＣＩ  Ａｃｉｄ  Ｂｌｕｅ  １、７、９、１５、２２、２３、２７、２９、４０、４３、５５、５９、６２、７８、８０、８１、９０、１０２、１０４、１１１、１８５および２５４；ＣＩ  Ａｃｉｄ  Ｙｅｌｌｏｗ  １、３、４、７、１１、１２、１３、１４、１９、２３、２５、３４、３８、４１、４２、４４、５３、５５、６１、７１、７６および７９；ＣＩ  Ｒｅａｃｔｉｖｅ  Ｂｌｕｅ  １、２、３、４、５、６、７、８、９、１３、１４、１５、１７、１８、１９、２０、２１、２５、２６、２７、２８、２９、３１、３２、３３、３４、３７、３８、３９、４０、４１、４３、４４および４６；ＣＩ  Ｒｅａｃｔｉｖｅ  Ｒｅｄ  １、２、３、４、５、６、７、８、１１、１２、１３、１５、１６、１７、１９、２０、２１、２２、２３、２４、２８、２９、３１、３２、３３、３４、３５、３６、３７、３８、３９、４０、４１、４２、４３、４４、４５、４６、４９、５０、５８、５９、６３、６４、および１８０；ＣＩ  Ｒｅａｃｔｉｖｅ  Ｙｅｌｌｏｗ  １、２、３、４、６  ７、１１、１２、１３、１４、１５、１６、１７、１８、２２、２３、２４、２５、２６、２７、３７および４２；ＣＩ  Ｒｅａｃｔｉｖｅ  Ｂｌａｃｋ  １、３、４、５、６、８、９、１０、１２、１３、１４および１８；Ｐｒｏ−Ｊｅｔ（登録商標）Ｆａｓｔ  Ｃｙａｎ  ２（Ｆｕｊｉｆｉｌｍ  Ｉｍａｇｉｎｇ  Ｃｏｌｏｒａｎｔｓ）；Ｐｒｏ−Ｊｅｔ（登録商標）Ｆａｓｔ  Ｍａｇｅｎｔａ  ２（Ｆｕｊｉｆｉｌｍ  Ｉｍａｇｉｎｇ  Ｃｏｌｏｒａｎｔｓ）；Ｐｒｏ−Ｊｅｔ（登録商標）Ｆａｓｔ  Ｙｅｌｌｏｗ  ２（Ｆｕｊｉｆｉｌｍ  Ｉｍａｇｉｎｇ  Ｃｏｌｏｒａｎｔｓ）；およびＰｒｏ−Ｊｅｔ（登録商標）Ｆａｓｔ  Ｂｌａｃｋ  ２（Ｆｕｊｉｆｉｌｍ  Ｉｍａｇｉｎｇ  Ｃｏｌｏｒａｎｔｓ）が挙げられる。
【００８６】
本発明に使用するのに好適な従来の顔料は、無機顔料または有機顔料であり得る。従来の顔料の例は、カーボンブラック、カドミウムレッド、モリブデンレッド、クロムイエロー、カドミウムイエロー、チタンイエロー、酸化クロム、ビリジアン、チタンコバルトグリーン、ウルトラマリンブルー、プルシアンブルー、コバルトブルー、ジケトピロロ−ピロール、アントラキノン、ベンズイミダゾロン、アントラピリミジン、アゾ顔料、フタロシアニン顔料（ナフタロシアニン顔料を含む）、キナクリドン顔料、イソインドリノン顔料、ジオキサジン顔料、インダンスレン顔料、ペリレン顔料、ペリノン顔料、チオインジゴ顔料、キノフタロン顔料、および金属錯体顔料である。
【００８７】
好適な顔料の例としては、Ｃｙａｎ  ＣＯＪ４５０（Ｃａｂｏｔ）、Ｄ７１ＣおよびＤ７５Ｃ（Ｄｉａｍｏｎｄ  Ｄｉｓｐｅｒｓｉｏｎｓ）；Ｍａｇｅｎｔａ  ＣＯＪ４６５（Ｃａｂｏｔ）、Ｄ７１Ｍ、Ｄ７５Ｍ、Ｄ７１ＰＶ１９（Ｄｉａｍｏｎｄ  Ｄｉｓｐｅｒｓｉｏｎｓ）、Ｈｏｓｔａｊｅｔ  Ｍａｇｅｎｔａ  Ｅ−ＰＴ  ＶＰ２６９０およびＨｏｓｔａｊｅｔ  Ｍａｇｅｎｔａ  Ｅ５Ｂ−ＰＴ  ＶＰ３５６５（Ｃｌａｒｉａｎｔ）；Ｙｅｌｌｏｗ  ＣＯＪ２７０およびＣＯＪ４７０（Ｃａｂｏｔ）、またはＤ７１Ｙ、Ｄ７１Ｙ１５５、Ｄ７５Ｙ（Ｄｉａｍｏｎｄ  Ｄｉｓｐｅｒｓｉｏｎｓ）およびＨｏｓｔａｊｅｔ  Ｙｅｌｌｏｗ  ４Ｇ−ＰＴ  ＶＰ２６６９（Ｃｌａｒｉａｎｔ）；Ｂｌａｃｋ  ＣＷ１、ＣＷ２、ＣＷ３（Ｏｒｉｅｎｔ）またはＣＯＪ２００、ＣＯＪ３００、ＣＯＪ４００（Ｃａｂｏｔ）またはＳＤＰ１０００、ＳＤＰ２０００（Ｓｅｎｓｉｅｎｔ）、またはＤ７１Ｋ、Ｄ７５Ｋ、Ｄ７７Ｋ、Ｄ８０Ｋ（Ｄｉａｍｏｎｄ  Ｄｉｓｐｅｒｓｉｏｎｓ）およびＨｏｓｔａｊｅｔ  Ｂｌａｃｋ  Ｏ−ＰＴ（Ｃｌａｒｉａｎｔ）；Ｒｅｄ  Ｄ７１Ｒ（Ｄｉａｍｏｎｄ  Ｄｉｓｐｅｒｓｉｏｎｓ）；Ｂｌｕｅ  Ｄ７１Ｂ（Ｄｉａｍｏｎｄ  Ｄｉｓｐｅｒｓｉｏｎｓ）が挙げられる。
【００８８】
典型的に、顔料は、表面改質された顔料などの自己分散型顔料である。表面改質は、アニオン性基またはカチオン性基のいずれかであり得る。典型的な表面改質基は、カルボン酸基およびスルホン酸基である。しかしながら、アニオン性リン酸基またはカチオン性アンモニウム基などの他の表面改質基も使用されてもよい。
【００８９】
本発明に使用するための好適な水性表面改質顔料分散体の具体例は、Ｓｅｎｓｉｊｅｔ（登録商標）Ｂｌａｃｋ  ＳＤＰ  ２０００（Ｓｅｎｓｉｅｎｔ  Ｃｏｌｏｒｓ  Ｉｎｃ．から入手可能）ならびにＣＡＢ−Ｏ−ＪＥＴ（登録商標）２００、３００、２５０Ｃ、２６０Ｍおよび２７０Ｙ（Ｃａｂｏｔ  Ｃｏｒｐｏｒａｔｉｏｎから入手可能）である。
【００９０】
インクジェットインク中の顔料粒子の平均粒度は、任意に、５０〜５００ｎｍの範囲である。
【００９１】
顔料および染料は、個別にまたはそれらの２つ以上の組合せのいずれかとして、インクジェットインク中で使用され得る。
【００９２】
インクジェットインク用のインク媒体は、当業者に公知であり、本発明に使用されるインク媒体は特に限定されない。本発明に使用されるインク媒体は、典型的に、少なくとも４０重量％の水、少なくとも５０重量％の水または少なくとも６０重量％の水を含む従来の水性インク媒体である。通常、インクジェットインク中に存在する水の量は、５０重量％〜９０重量％の範囲、または任意に、６０重量％〜８０重量％の範囲である。
【００９３】
水性インクジェットインク組成物は、文献において周知であり、水に加えて、共溶媒（保湿剤、浸透剤、湿潤剤などを含む）、界面活性剤、殺生物剤、金属イオン封鎖剤、ｐＨ調整剤、粘度調整剤などの他の成分を含み得る。
【００９４】
共溶媒は、典型的に、水溶性有機溶媒である。好適な水溶性有機溶媒としては、エタノール、メタノール、ブタノール、プロパノール、および２−プロパノールなどのＣ１〜４アルキルアルコール；エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−イソプロピルエーテル、ジエチレングリコールモノ−イソプロピルエーテル、エチレングリコールモノ−ｎ−ブチルエーテル、ジエチレングリコールモノ−ｎ−ブチルエーテル、トリエチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−イソプロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−イソプロピルエーテル、プロピレングリコールモノ−ｎ−ブチルエーテル、およびジプロピレングリコールモノ−ｎ−ブチルエーテルなどのグリコールエーテル；ホルムアミド、アセトアミド、ジメチルスルホキシド、ソルビトール、ソルビタン、グリセロールモノアセテート、グリセロールジアセテート、グリセロールトリアセテート、およびスルホラン；またはそれらの組合せが挙げられる。
【００９５】
共溶媒として使用され得る他の有用な水溶性有機溶媒としては、２−ピロリドン、Ｎ−メチルピロリドン、ε−カプロラクタム、ジメチルスルホキシド、スルホラン、モルホリン、Ｎ−エチルモルホリン、１，３−ジメチル−２−イミダゾリジノンおよびそれらの組合せなどの極性溶媒が挙げられる。
【００９６】
インクジェットインクは、保水性および湿潤特性をインク組成物に与えるための湿潤剤または保湿剤として働き得る共溶媒としての高沸点の水溶性有機溶媒を含有し得る。このような高沸点の水溶性有機溶媒としては、１８０℃以上の沸点を有するものが挙げられる。１８０℃以上の沸点を有する水溶性有機溶媒の例は、エチレングリコール、プロピレングリコール、ジエチレングリコール、ペンタメチレングリコール、トリメチレングリコール、２−ブテン−１，４−ジオール、２−エチル−１，３−ヘキサンジオール、２−メチル−２，４−ペンタンジオール、トリプロピレングリコールモノメチルエーテル、ジプロピレングリコールモノエチルグリコール、ジプロピレングリコールモノエチルエーテル、ジプロピレングリコールモノメチルエーテル、ジプロピレングリコール、トリエチレングリコールモノメチルエーテル、テトラエチレングリコール、トリエチレングリコール、ジエチレングリコールモノブチルエーテル、ジエチレングリコールモノエチルエーテル、ジエチレングリコールモノメチルエーテル、トリプロピレングリコール、２０００以下の分子量を有するポリエチレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、グリセロール、エリトリトール、ペンタエリトリトールおよびそれらの組合せである。
【００９７】
他の好適な湿潤剤または保湿剤としては、糖（単糖、オリゴ糖および多糖を含む）およびその誘導体（例えばマルチトール、ソルビトール、キシリトール、ヒアルロン酸塩、アルドン酸、ウロン酸など）が挙げられる。
【００９８】
インクジェットインクは、記録媒体中への水性インクの浸透を加速させるための共溶媒の１つとしての浸透剤も含有し得る。好適な浸透剤としては、多価アルコールアルキルエーテル（グリコールエーテル）および／または１，２−アルキルジオールが挙げられる。好適な多価アルコールアルキルエーテルの例は、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、エチレングリコールモノ−ｎ−プロピルエーテル、エチレングリコールモノ−イソプロピルエーテル、ジエチレングリコールモノ−イソプロピルエーテル、エチレングリコールモノ−ｎ−ブチルエーテル、ジエチレングリコールモノ−ｎ−ブチルエーテル、トリエチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−イソプロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−イソプロピルエーテル、プロピレングリコールモノ−ｎ−ブチルエーテル、およびジプロピレングリコールモノ−ｎ−ブチルエーテルである。好適な１，２−アルキルジオールの例は、１，２−ペンタンジオールおよび１，２−ヘキサンジオールである。浸透剤はまた、１，３−プロパンジオール、１，４−ブタンジオール、１，５−ペンタンジオール、１，６−ヘキサンジオール、１，７−ヘプタンジオール、および１，８−オクタンジオールなどの直鎖状炭化水素ジオールから選択され得る。グリセロールも、浸透剤として使用され得る。
【００９９】
典型的に、インク中に存在する共溶媒の量は、約５重量％〜４０重量％、または任意に、１０重量％〜３０重量％の範囲である。本発明に使用され得る共溶媒系の具体例は、エチレングリコール、２−ピロリドン、グリセロールおよび１−プロパノールを含む。
【０１００】
インクジェットインクは、アニオン性表面活性剤、両性表面活性剤、非イオン性表面活性剤またはそれらの混合物などの１つまたは複数の表面活性剤（「界面活性剤」）も含有し得る。有用なアニオン性表面活性剤としては、アルカンスルホン酸塩、α−オレフィンスルホン酸塩、アルキルベンゼンスルホン酸塩、アルキルナフタレンスルホン酸、アシルメチルタウリン、およびジアルキルスルホコハク酸などのスルホン酸型；アルキル硫酸エステル塩、硫酸化油、硫酸化オレフィン、ポリオキシエチレンアルキルエーテル硫酸エステル塩；カルボン酸型、例えば、脂肪酸塩およびアルキルサルコシン塩；ならびにアルキルリン酸エステル塩、ポリオキシエチレンアルキルエーテルリン酸エステル塩、およびグリセロリン酸エステル塩などのリン酸エステル型が挙げられる。アニオン性表面活性剤の具体例は、ドデシルベンゼンスルホン酸ナトリウム、ラウリン酸ナトリウム、およびポリオキシエチレンアルキルエーテル硫酸アンモニウム塩である。
【０１０１】
両性表面活性剤の例としては、Ｎ，Ｎ−ジメチル−Ｎ−オクチルアミンオキシド、Ｎ，Ｎ−ジメチル−Ｎ−ドデシルアミンオキシド、Ｎ，Ｎ−ジメチル−Ｎ−テトラデシルアミンオキシド、Ｎ，Ｎ−ジメチル−Ｎ−ヘキサデシルアミンオキシド、Ｎ，Ｎ−ジメチル−Ｎ−オクタデシルアミンオキシドおよびＮ，Ｎ−ジメチル−Ｎ−（Ｚ−９−オクタデセニル）−Ｎ−アミンオキシドが挙げられる。
【０１０２】
非イオン性表面活性剤の例としては、ポリオキシエチレンアルキルエーテル、ポリオキシエチレンアルキルフェニルエーテル、ポリオキシエチレンアルキルエステル、およびポリオキシエチレンアルキルアミドなどのエチレンオキシド付加物型；グリセロールアルキルエステル、ソルビタンアルキルエステル、および糖アルキルエステルなどのポリオールエステル型；多価アルコールアルキルエーテルなどのポリエーテル型；およびアルカノールアミン脂肪酸アミドなどのアルカノールアミド型が挙げられる。非イオン性表面活性剤の具体例は、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、およびポリオキシアルキレンアルキルエーテル（例えばポリオキシエチレンアルキルエーテル）などのエーテル；ならびにオレイン酸ポリオキシエチレン、ポリオキシエチレンオレイン酸エステル、ジステアリン酸ポリオキシエチレン、ラウリン酸ソルビタン、モノステアリン酸ソルビタン、モノ−オレイン酸ソルビタン、セスキオレイン酸ソルビタン、モノ−オレイン酸ポリオキシエチレン、およびステアリン酸ポリオキシエチレンなどのエステルである。２，４，７，９−テトラメチル−５−デシン−４，７−ジオール；エトキシ化２，４，７，９−テトラメチル−５−デシン−４，７−ジオール；３，６−ジメチル−４−オクチン−３，６−ジオールまたは３，５−ジメチル−１−ヘキシン−３−オールなどのアセチレングリコール表面活性剤も、使用され得る。本発明に使用され得る非イオン性界面活性剤の具体例は、Ｓｕｒｆｙｎｏｌ（登録商標）４６５およびＳｕｒｆｙｎｏｌ（登録商標）４４０（Ａｉｒ  Ｐｒｏｄｕｃｔｓ  ａｎｄ  Ｃｈｅｍｉｃａｌｓ，Ｉｎｃから入手可能である）である。
【０１０３】
界面活性剤は、典型的に、０．１重量％〜２重量％の範囲の量で水性インクジェットインク中に存在する。上述されるように、比較的低い輝度のインク中の界面活性剤の量は、比較的高い輝度のインク中の界面活性剤の量より少なくとも０．４重量％多い。典型的に、カラーインクは、所与のインクセット中で黒インクより少なくとも０．４重量％多い界面活性剤を有する。
【０１０４】
水性インクジェットインクは、水酸化ナトリウム、水酸化カリウム、水酸化リチウム、炭酸ナトリウム、炭酸水素ナトリウム、炭酸カリウム、炭酸水素カリウム、炭酸リチウム、リン酸ナトリウム、リン酸カリウム、リン酸リチウム、リン酸二水素カリウム、リン酸水素二カリウム、シュウ酸ナトリウム、シュウ酸カリウム、シュウ酸リチウム、ホウ酸ナトリウム、四ホウ酸ナトリウム、フタル酸水素カリウム、および酒石酸水素カリウム；アンモニア；およびメチルアミン、エチルアミン、ジエチルアミン、トリメチルアミン、トリエチルアミン、トリス（ヒドロキシメチル）アミノメタン塩酸塩、トリエタノールアミン、ジエタノールアミン、ジエチルエタノールアミン、トリイソプロパノールアミン、ブチルジエタノールアミン、モルホリン、プロパノールアミンなどのアミン、４−モルホリンエタンスルホン酸および４−モルホリンプロパンスルホン酸（「ＭＯＰＳ」）などの、ｐＨ調整剤または緩衝液も含み得る。存在する場合、ｐＨ調整剤の量は、典型的に、０．０１〜２重量％または０．０５〜１重量％の範囲である。
【０１０５】
水性インクジェットインクは、安息香酸、ジクロロフェン、ヘキサクロロフェン、ソルビン酸、ヒドロキシ安息香酸エステル、デヒドロ酢酸ナトリウム、１，２−ベンゾチアゾリン−３−オン（Ａｒｃｈ  Ｃｈｅｍｉｃａｌｓ，Ｉｎｃ．から入手可能な「Ｐｒｏｘｅｌ（登録商標）ＧＸＬ」）、３，４−イソチアゾリン−３−オンまたは４，４−ジメチルオキサゾリジンなどの殺生物剤も含み得る。存在する場合、ｐＨ調整剤の量は、典型的に、０．０１〜２重量％または０．０５〜１重量％の範囲である。
【０１０６】
水性インクジェットインクは、エチレンジアミン四酢酸（ＥＤＴＡ）などの金属イオン封鎖剤も含有し得る。
【実施例】
【０１０７】
実験項
以下の実験項は、Ｍｅｍｊｅｔ（登録商標）プリントヘッドのノズルプレートにおける好ましくない色混合の問題を実証し、好ましくない色混合を最小限に抑えるために最適化されたプリントヘッド設置構成と組み合わせた特定のインクセットの利点をさらに実証する。
【０１０８】
ＣＭＹＫインクをそれぞれ含有するいくつかの異なるインクセットを、試験のために調製した。インク媒体成分をガラス瓶中で混合し、２４時間撹拌することによって、各インクを配合した。インク媒体を、必要な着色剤に加え、さらに１５分間撹拌し、次にろ過した。染料ベースおよび顔料ベースインクセットの両方を調製した。インクセットは、以下の配合物を有していた：
0006037475.tif 000002
0006037475.tif 000003
0006037475.tif 000004
0006037475.tif 000005
【０１０９】
各インクセットからの４つのインクを、色平面１、２、３、４および５を供給するようにＭｅｍｊｅｔプリントヘッド中に設置した。いずれの場合も、インクセットを、表１に示される順序で色平面中に設置した：
0006037475.tif 000006
【０１１０】
プリントヘッドを確実にプライミングするように、色平面１〜５のノズルチェックパターンを印刷した。次に、試験パターンを、各色平面を強調する（ｓｔｒｅｓｓ）ように印刷し、強調される色平面から隣接する色平面において起こった何らかの色混合を分析した。典型的に、該当する色平面からフルブリードを印刷することによって、色平面を強調し、次に、ノズルチェックパターンを、プリントヘッドの色平面１〜５のそれぞれから順次印刷した。したがって、黒色平面を強調する典型的な試験パターンは、Ａ４シートのほとんどをカバーするためにフルブリードで印刷された黒の形状（例えば矩形または三角形）、ならびに黒の形状の真下に印刷された黄色、黒、シアン、黒およびマゼンタの５本のライン（幅が約１ｍｍ）を含み得る。プリントヘッドにおける色平面の混合は、ノズルチェックパターン（１０倍の倍率）ならびにプリントヘッドノズル面を目視検査することによって測定される。インク混合は、強調される色平面からのインクが隣接する色平面中に移動した場合に生じるものとみなされる。例えば、試験パターンにおける黄色、シアンおよびマゼンタのラインのいずれかが、黒の縞を含む場合、ノズル面における好ましくない色混合が生じたものとみなされる。
【０１１１】
色混合実験の結果が、以下の表２〜８に示される。表２〜８において、表の列のヘッダーは、強調される色平面を示し、表の各行は、強調される色平面が実験中に混入した隣接する色平面（ある場合）を示す。用語として、「０」は、色混合がないことを示し、「Ｘ」は、色混合を示す。
0006037475.tif 000007
【０１１２】
インクセット１では、黒色平面２および４のいずれからも隣接する色平面中への色混合は観察されなかった。マゼンタ色平面５から隣接する黒色平面４中へ、およびシアン色平面３から隣接する黒色平面２中への色混合のみが観察された。この色混合は、印刷された黒のドットの外観に悪影響を与えないため、許容可能であるとみなされる。
0006037475.tif 000008
【０１１３】
インクセット２および３では、黒色平面２および４のいずれからも隣接する色平面中への色混合は観察されなかった。マゼンタ色平面５から隣接する黒色平面４中へ、シアン色平面３から隣接する黒色平面２および４の両方へ、および黄色色平面から隣接する黒色平面２中への色混合が観察された。この色混合は、印刷された黒のドットの外観に悪影響を与えないため、許容可能であるとみなされる。
0006037475.tif 000009
【０１１４】
比較例のインクセット１では、黒色平面２および４の両方から隣接するシアン色平面３中への色混合が観察された。この色混合は、印刷されたシアンのドットの外観が黒インクの混合によって悪影響を受けるため、許容できないものとみなされた。
0006037475.tif 000010
【０１１５】
比較例のインクセット２および３では、黒色平面２および４の両方から隣接するシアン色平面３中への色混合が観察された。黒色平面２から隣接する黄色色平面１中への色混合も観察された。この色混合は、印刷されたシアンおよび黄色のドットの外観が、黒インクの混合によって悪影響を受けるため、許容できないものとみなされた。
0006037475.tif 000011
【０１１６】
比較例のインクセット４では、黒色平面２および４の両方から隣接するシアン色平面３中への色混合が観察された。黒色平面２から隣接する黄色色平面１中への色混合も観察された。黒色平面４から隣接するマゼンタ色平面５中への色混合も観察された。この色混合は、印刷されたシアン、マゼンタおよび黄色のドットの外観が、黒インクの混合によって悪影響を受けるため、許容できないものとみなされた。
【０１１７】
結論
表２〜８に示される結果は、色混合が、各インク中の界面活性剤の量によって制御されることを実証する。特に、プリントヘッドのノズル面にわたる黒インクから隣接するカラーインク中への混合は、カラーインク中の界面活性剤の量が、黒インク中の界面活性剤の量より少なくとも０．４重量％（好ましくは少なくとも０．６重量％）多い場合にのみ、最小限に抑えられる。
【０１１８】
意外にも、各インクの表面張力は、色混合の程度および方向を制御するのにあまり重要でないようであった。例えば、比較例のインクセット１中の黒インクは、６３．５ｍＮ／ｍの高い表面張力を有する。しかしながら、この高い表面張力は、黒インクが、色平面２および４から、色平面３におけるシアンインク中に混合するのを防がず、そのため、印刷されたシアンのドットの外観に悪影響を与える。同様に、比較例のインクセット２〜４のそれぞれでは、黒インクの比較的高い表面張力は、黒インクが、隣接する色平面中に混合するのを防がない。したがって、マランゴニ効果が、プリントヘッドのノズル面にわたる色混合を予測せず；各インク中の界面活性剤の相対量のみが、ノズル面にわたる色混合の程度および方向を制御することができることが結論付けられた。
【０１１９】
本明細書に記載されるインクセットは、最適化されたプリントヘッド設置構成とともに、プリントヘッドにおける狭い間隔の色平面間の好ましくない色混合を最小限に抑えることによって、多色プリントヘッドにおける改良された印刷品質を提供する。
【０１２０】
当然ながら、本発明が、あくまでも例として説明されていることおよび細部の変更が、添付の特許請求の範囲に規定される本発明の範囲内で行われ得ることが理解されるであろう。
【図１】
0006037475.tif 000012
【図２】
0006037475.tif 000013
【図３】
0006037475.tif 000014
【図４】
0006037475.tif 000015
【図５】
0006037475.tif 000016
【図６】
0006037475.tif 000017
【図７】
0006037475.tif 000018
【図８】
0006037475.tif 000019
【図９】
0006037475.tif 000020
【図１０】
0006037475.tif 000021
【図１１】
0006037475.tif 000022
【図１２】
0006037475.tif 000023
【図１３】
0006037475.tif 000024
【図１４】
0006037475.tif 000025
【図１５】
0006037475.tif 000026
【図１６】
0006037475.tif 000027